(57)【要約】【課題】歯牙神経治療用エンドファイルを提供する。【解決手段】本発明は、ハンドピース内に挿入されて着脱式で結合されるヘッド部と、前記ヘッド部の下方に設けられ、患者の歯根管内に挿入して歯の神経を除去するための組織除去部と、前記ヘッド部と前記組織除去部との間に設けられ、少なくとも一つの水平スルーホールからなる応力分散部とを含んでなり、エンドファイルの回転の際に発生する応力の集中を防止および緩衝させ、エンドファイルの折れる現象を最小化するように構成されたものである。本発明に係る歯牙神経治療用エンドファイルによれば、ハンドピースに結合されて回転するヘッド部から伝達される大きな回転トルクが連結部に１次的に伝達される過程で、連結部の断面の分割により応力の集中を最小化し、トルク力を断面全体にわたって均一に分散させることにより、連結部を破断させることなく安定した状態で回転させ、その回転力を組織除去部へそのまま伝達して、使用中にエンドファイルが破断することなく効果的に歯の神経治療に活用することができる。
2016521617.tif 000002
【特許請求の範囲】
【請求項１】
歯の神経治療に使用されるエンドファイルであって、
ハンドピース内に挿入されて着脱式で結合されるヘッド部と、
前記ヘッド部の下方に設けられ、患者の歯根管内に挿入して歯の神経を除去するための組織除去部と、
前記ヘッド部と前記組織除去部との間に設けられ、少なくとも一つの水平スルーホールからなる応力分散部とを含んでなり、エンドファイルの回転の際に発生する応力の集中を防止および緩衝させ、エンドファイルの折れる現象を最小化するように構成されたことを特徴とする、歯牙神経治療用エンドファイル。
【請求項２】
前記応力分散部の水平スルーホールの断面形状が四角形、多角形、十字形、または楕円形であることを特徴とする、請求項１に記載の歯牙神経治療用エンドファイル。
【請求項３】
前記水平スルーホールは、エンドファイルの断面の円周方向に沿って等間隔で２〜４個設けられることを特徴とする、請求項２に記載の歯牙神経治療用エンドファイル。
【発明の詳細な説明】
【技術分野】
【０００１】
本発明は、歯牙神経治療用エンドファイルに係り、より詳しくは、ハンドピースに結合されるヘッド部、神経を除去するための組織除去部、および前記ヘッド部と前記組織除去部との間に設けられ、水平スルーホールからなる応力分散部を含んでなり、該応力分散部の水平スルーホールを様々な形状に形成することにより、エンドファイルの回転時に先端まで伝達される回転力が水平スルーホールによっていずれか一箇所に集中せず、分散するようにして、使用中にエンドファイルの折れる現象を最小化するように改善された、歯牙神経治療用エンドファイルに関する。
【背景技術】
【０００２】
一般に、エンドファイル（Ｅｎｄｏ  ｆｉｌｅ）は、歯牙の歯神経を除去する医療ツールであって、病変の発生した歯根管（ｒｏｏｔ  ｃａｎａｌ）の内部に深く挿入して神経および／または病変組織を除去するために採用されており、歯牙の形態に応じて曲がらなければならないため、弾性力のある材質でできている。
【０００３】
このようなエンドファイルは、世界中のすべての歯科で広く使われており、エアや電気モーターの力によって自動的に回転するハンドピース（Ｈａｎｄ  Ｐｉｅｃｅ）に取り付けられて回転する。
【０００４】
このような従来のエンドファイル１の基本的な構造は図１に示されている。
【０００５】
すなわち、従来のエンドファイル１は、ハンドピース１０に脱着式で結合されるヘッド部２０と、前記ヘッド部２０の下方に設けられ、歯の神経を除去するための組織除去部３０とを備え、前記ヘッド部２０と組織除去部３０との間には形状遷移領域である連結部４０をさらに備えている。
【０００６】
このような従来のエンドファイル１は、ハンドピース１０に脱着式で結合されたヘッド部２０が回転すると、その回転力が組織除去部３０へ伝達されて組織除去部３０が回転し、前記組織除去部３０が病変の発生した歯（図示せず）の神経、血管および組織をすべて除去して治療する方法で神経治療を行う。このような治療過程中に、従来のエンドファイル１は、その組織除去部の歯根管（ｒｏｏｔ  ｃａｎａｌ）内に対する引き込みおよび引き出しが繰り返し行われる。
【０００７】
しかし、従来のエンドファイル１は、使用中、すなわち回転中にしばしば破断現象が発生する。このようなエンドファイル１の破断は、組織除去部３０が歯根管内に挿入された状態で、ヘッド部２０から伝達される回転力によって組織除去部が回転するときに神経および組織による回転抵抗力によって、組織除去部の一部に過度な応力が集中したり、歯根管の撓みがひどい根管部位での回転により応力の集中が発生したり、或いは歯根管にタイトに挿入される場合に瞬間的に一部に過度な応力が集中したりして発生する場合が多い。
【０００８】
また、口腔内の奥深くにある臼歯部を治療するときは、エンドファイルおよび該エンドファイルの装着されたハンドピースが口の中の奥深くまで挿入されなければならないが、この際、口が小さく開けられる患者は、連結部４０の曲げ弾性が殆どない既存のエンドファイルの欠点により組織除去部の撓みがさらにひどく現れるので、破折が発生する可能性がさらに多かった。
【０００９】
特に、エンドファイルの破断や破折は、組織除去部３０の先端から一定の区間、例えば先端から１〜３ｍｍの部位で主に発生するが、このような組織除去部３０は、歯の神経および血管を除去する部分であって、その形態を変更することが容易ではない。
【００１０】
このような従来のエンドファイル１の破断に関連する先行技術としては、大韓民国登録特許公報第１０−１０１１６９５号の「神経治療用エンドファイル」がある。
【００１１】
このような従来の技術は、歯の神経治療の際にエンドファイル１の端部が破断しても、破断片を容易に引き出すことができるように形成された神経治療用エンドファイルに関するもので、歯根管の内部に挿入され、神経と血管を除去するための組織除去部と、前記組織除去部に設置され、前記組織除去部の繰り返し使用により破断が発生したとき、破断面の下部と上部とを相互連結して、前記破断した組織除去部の下部が上部と一緒に歯牙から引き出されるようにする連結部材とを備える。
【００１２】
このような従来の技術は、繰り返し使用によるエンドファイルの組織除去部の端部に破断が発生する時点を予測するか、或いは破断したエンドファイルの端部を歯から容易に引き出すことにより、エンドファイルの破断した組織除去部の断片が患者の歯に刺さることを防止することができるという利点がある。
【００１３】
しかし、このような従来の技術は、エンドファイル１自体の破断後にその破断した端部を回収する技術に関するもので、エンドファイル１自体の破断を前もって防止しようと意図した技術ではない。
【発明の概要】
【発明が解決しようとする課題】
【００１４】
本発明は、前述した従来の問題点を解消するためのもので、その目的は、歯根管への入り込み後、エンドファイルの回転の際にヘッド部から組織除去部の先端まで回転力が均一に伝達されるようにし、応力がエンドファイル全体にわたって分散するようにして、使用中にエンドファイルの折れる現象を最小化するように改善された、歯牙神経治療用エンドファイルを提供することにある。
【００１５】
また、本発明の他の目的は、エンドファイルの大きな回転トルクが１次的にかかる部分での応力集中を最小化し、回転トルクの集中を緩衝させ、均一に分散させることにより、破断することなく組織除去部の安定した回転動作を保障する、歯牙神経治療用エンドファイルを提供することにある。
【００１６】
また、本発明の別の目的は、応力の集中によりエンドファイルが破断するとき、エンドファイルの応力分散部が破断するように誘導することにより、エンドファイルが破断するとしても、歯根管から破断したエンドファイルを容易に除去することができるようにする、歯牙神経治療用エンドファイルを提供することにある。
【００１７】
また、本発明の別の目的は、歯根管への入り込み後、回転の際にエンドファイルが破折するほどの応力が発生すると、まず応力分散部が歪んでねじれてしまうので、施術者がエンドファイルの破折発生の前に予め検知することができる機能を提供することにある。
【課題を解決するための手段】
【００１８】
上記目的を達成するために、本発明は、歯の神経治療に使用されるエンドファイルであって、
ハンドピース内に挿入されて着脱式で結合されるヘッド部と、
前記ヘッド部の下方に設けられ、患者の歯根管内に挿入して歯の神経および病変組織を除去するための組織除去部と、
前記ヘッド部と前記組織除去部との間に設けられ、歯根管内でエンドファイルの回転時に発生する応力の集中を防止および緩衝させ、エンドファイルの折れる現象を最小化するように構成された少なくとも一つの水平スルーホールからなる応力分散部とを含んでなる、歯牙神経治療用エンドファイルを提供する。
【００１９】
また、前記応力分散部の水平スルーホールの断面形状は四角形、十字形、多角形または楕円形であることが好ましい。
【００２０】
また、前記水平スルーホールは、エンドファイルの断面の円周方向に沿って等間隔で２〜４個設けられることが好ましい。
【発明の効果】
【００２１】
本発明に係る歯牙神経治療用エンドファイルによれば、ヘッド部と組織除去部との間に設けられた連結部の内側に、少なくとも一つの水平スルーホールからなる応力分散部を備えることにより、エンドファイルが根管内で回転するときに発生する応力の集中を防止する。
【００２２】
このようにヘッド部の下方に設けられた応力分散部は、連結部を水平方向に貫通する少なくとも一つの水平スルーホールにより、応力分散部の断面を多数に区画し、歯根管内でエンドファイルの回転時に特定の一箇所に応力が集中しないようにし、ヘッド部から組織除去部の先端まで回転力を均一に伝達させることで、エンドファイルの折れる現象を効果的に防止する。
【００２３】
特に、このような応力分散部は、ハンドピースに結合されて回転するヘッド部から伝達される大きな回転トルクが応力分散部に１次的に伝達される過程で、断面の分割により応力の集中を最小化し、トルク力を断面全体にわたって均一に分散させることにより、エンドファイルを破断させることなく安定した状態で回転させ、その回転力を組織除去部へそのまま伝達して、歯の神経治療に効果的に活用することができる。
【００２４】
また、歯根管への入り込み後、回転の際にエンドファイルが破折するほどの応力が発生すると、まず応力分散部に歪んでねじれてしまうので、施術者がエンドファイルの破折発生の前に予め検知することができるという効果を持つ。
【図面の簡単な説明】
【００２５】
【図１】従来の技術によるエンドファイルの構造を示す断面図である。
【図２】本発明に係るエンドファイルの構造を示す断面図であって、連結部に水平スルーホールからなる応力分散部を有する構造を示す。
【図３ａ】従来の技術に係るエンドファイルにおける連結部の中実（ｓｏｌｉｄ）の直径を示す断面図である。
【図３ｂ】本発明に係るエンドファイルにおいて、連結部に水平スルーホールからなる応力分散部を有する構造を示す断面図である。
【図４ａ】本発明に係るエンドファイルにおいて、連結部の水平スルーホールが長方形の断面を持つ構造を示す断面図である。
【図４ｂ】本発明に係るエンドファイルにおいて、連結部の水平スルーホールが多角形の断面を持つ構造を示す断面図である。
【図４ｃ】本発明に係るエンドファイルにおいて、連結部の水平スルーホールが楕円形の断面を持つ構造を示す断面図である。
【図５ａ】本発明に係るエンドファイルにおいて、連結部の断面を同じサイズに三分割させた構造を示す断面図である。
【図５ｂ】本発明に係るエンドファイルにおいて、連結部の水平スルーホールが十字（＋）形に設けられて連結部の断面を同じサイズに四分割させた構造を示す断面図である。
【図６】本発明に係るエンドファイルにおいて、施術中にあまりにも多くの回転抵抗力が生じた場合にエンドファイルの応力分散部がねじれてしまうことを示す参考図である。
【発明を実施するための形態】
【００２６】
以下に添付図面を参照しながら、本発明の好適な実施例をより詳細に説明する。
【００２７】
本発明に係る歯牙神経治療用エンドファイル１００は、図２に示すように、ハンドピース１１０内に挿入されて着脱式で結合されるヘッド部１２０を上部側に備え、前記ヘッド部１２０の下方には患者の歯根管（ｒｏｏｔ  ｃａｎａｌ）内に挿入して歯の神経を除去するための組織除去部１３０を備える。
【００２８】
さらに、前記ヘッド部１２０と組織除去部１３０との間に設けられた連結部１４０を備えるが。このような連結部１４０の内側には、エンドファイル１００の回転時に発生する応力を分散させるために、少なくとも一つの水平スルーホール１５２からなる応力分散部１５０を備える。
【００２９】
このような本発明に係る歯牙神経治療用エンドファイル１００は、通常の材料、例えば、耐食性に優れたチタニウム、ステンレス、Ｎｉ−Ｔｉ（形状記憶合金）などで出来ている。前記連結部１４０は、ハンドピース１１０の作動によりヘッド部１２０が回転すると、その回転力を下方の組織除去部１３０に伝達する。
【００３０】
このような連結部１４０に設けられた応力分散部１５０の水平スルーホール１５２は、連結部１４０を水平方向に貫通して設けられたものであって、図２および図３ｂに示すように、連結部１４０の断面を２つに分割する。
【００３１】
このように二分割された連結部１４０の断面は、それぞれ同じサイズを持つ。よって、上部側のヘッド部１２０から回転トルクが伝達されると、特定のいずれかの断面に回転トルクが過剰に集中せずに均一に分散して下部側の組織除去部１３０へ伝達される。
【００３２】
このような応力分散部１５０の水平スルーホール１５２は、図４ａに示すように四角形、好ましくは長方形の断面を持つことができるが、本発明はこれに限定されず、図４ｂに示すたように多角形の断面１５２ａ、或いは図４ｃに示すように楕円形の断面１５２ｂを持ってもよい。このようなそれぞれの断面構造において、それらのいずれも同様に連結部１４０を水平方向に貫通する構造である。
【００３３】
また、前記水平スルーホール１５２は、図２に示すように、連結部１４０の断面を二分割する１つの構造で形成できるが、図５ａに示すように、連結部１４０の断面円周方向に沿って等間隔で連結部１４０の断面を同じサイズに三分割する構造を採用することもできる。
【００３４】
それだけでなく、図５ｂに示すように、連結部１４０の断面を十字（＋）形に分割して連結部１４０の断面を同じサイズに四分割する構造を採用することもできる。
【００３５】
したがって、ファイルが歯根管の中で強い回転抵抗力を受けても、いずれかの一部分に回転トルクが過剰に集中せず、均一に分散して下部側の組織除去部１３０に伝達させることになる。
【００３６】
一方、本発明の一実施例によれば、螺旋部からなって神経を除去する組織除去部を前記連結部１４０まで形成することもできる。
【００３７】
また、前記水平スルーホール１５２が連結部１４０に並んで２つ以上設けられた構造であってもよい。このような変形構造では、２つ以上設けられた水平スルーホール１５２により、連結部１４０の断面が３つ以上に分割され、そのそれぞれのサイズが異なってもよい。
【００３８】
応力分散部１５０に設けられた水平スルーホール１５２により、応力分散部１５０に伝達された回転トルクを緩衝させるトーションばねのようなねじり緩衝効果を発生させる。
【００３９】
このような緩衝構造によって、本発明の応力分散部１５０は、応力集中を回避することができ、疲労の蓄積を防止して突然の破断を防止することができる。また、前述したようなトーションばね効果を持つから、図６に示すように、施術中にあまりにも多くの回転抵抗が生じた場合に応力分散部１５０がねじれてしまうので、施術者がその状態を肉眼で直ちに確認することができてファイルの破折を予防することができる。
【００４０】
前述のように構成された本発明に係る歯牙神経治療用エンドファイル１００は、ヘッド部１２０がハンドピース１１０内に挿入されて着脱式で結合され、ハンドピース１１０の作動によりヘッド部１２０、応力分散部１５０および組織除去部１３０は回転する。
【００４１】
このような状態で組織除去部１３０が患者の歯根管内に挿入されて歯の神経を除去するが、このような過程で、連結部１４０はヘッド部１２０から伝達される大きな回転トルクを組織除去部１３０へそのまま伝達して歯の神経を除去する。
【００４２】
このとき、応力分散部１５０の水平スルーホール１５２が連結部１４０を水平方向に貫通している。
【００４３】
このような水平スルーホール１５２は連結部１４０の断面を多数個、例えば２個〜４個に分割し、これらの断面はそれぞれ同じサイズを持つ。このような同じ断面サイズの分割された連結部１４０は、上部側のヘッド部１２０から回転トルクが伝達されると、特定のいずれかの断面に回転トルクを過剰に集中させずに均一に分散させて下部側の組織除去部１３０に伝達させる。
【００４４】
特に、このような連結部１４０の水平スルーホール１５２は、連結部１４０に伝達された回転トルクを緩衝させるトーションばねのような緩衝効果を発生させる。
【００４５】
つまり、従来の中実構造では、ヘッド部１２０から伝達されるトルクを何らの緩衝もなく、組織除去部１３０へ伝達させることにより、組織除去部１３０に過負荷がかかる場合、組織除去部１３０の脆弱部分に緩衝効果なく応力が集中してそのまま破断してしまう。
【００４６】
しかし、本発明の連結部１４０は、水平スルーホール１５２が外力、すなわち回転トルクによって連結部１４０を弾性変形させる余裕空間を提供することができるので、急激な回転トルクが組織除去部１３０にかからず、連結部１４０のねじり弾性変形による緩衝効果を得ることができるため、組織除去部１３０の破断なしに回転力の円滑な伝達が可能となる。このような連結部１４０の緩衝構造を持つ本発明の連結部１４０は、応力の集中を回避することができ、疲労の蓄積を防止して突然の破断を防止することができる。
【００４７】
前述したように、本発明に係る歯牙神経治療用エンドファイル１００によれば、ヘッド部１２０と組織除去部１３０との間に設けられた連結部１４０の内側に、少なくとも一つの水平スルーホール１５２からなる応力分散部１５０を備えることにより、エンドファイル１００の回転時に発生する応力の集中を防止し、緩衝させる。
【００４８】
このように連結部１４０に設けられた応力分散部１５０は、連結部１４０を水平方向に貫通する少なくとも一つの水平スルーホール１５２によって、連結部１４０の断面を多数に区画する。したがって、エンドファイル１００の根管内での回転の際に連結部１４０および組織除去部１３０の特定の一箇所に応力が集中しないようにし、ヘッド部１２０から組織除去部１３０の先端まで回転力を均一に伝達させることで、エンドファイル１００の折れる現象を効果的に防止し、歯の神経治療に効果的に活用することができる。
【００４９】
以上、本発明を添付図面に基づいて特定の実施例に関連して詳細に説明したが、本発明はこのような特定の構造に限定されるものではない。当該分野における通常の知識を有する者であれば、以下の特許請求範囲に記載された本発明の技術思想及び権利範囲を逸脱することなく、本発明に多様な修正又は変更を加えることができるであろう。例えば、前記水平スルーホール１５２の断面形状および個数などは同じ効果を発揮しながらも可変的でありうる。ところが、そのような単純な修正又は変形構造はいずれも本発明の権利範囲内に属するものであることを予め明らかにしておく。
【図１】
2016521617.tif 000003
【図２】
2016521617.tif 000004
【図３】
2016521617.tif 000005
【図４（ａ）】
2016521617.tif 000006
【図４（ｂ）】
2016521617.tif 000007
【図４（ｃ）】
2016521617.tif 000008
【図５（ａ）】
2016521617.tif 000009
【図５（ｂ）】
2016521617.tif 000010
【図６】
2016521617.tif 000011
【国際調査報告】
2016521617.tif 000012
2016521617.tif 000013
2016521617.tif 000014
2016521617.tif 000015